(57)【要約】【課題】窓部の曇りを抑制することができる加熱調理器を提供する。【解決手段】扉部３は第一扉３１及び第二扉３２を有する二重構造である。第一扉３１及び第二扉３２の間には、熱伝導部３９が配されている。熱伝導部３９は、当接板３９ａ及び３９ｂの間にカバー３８が位置し、接続板３９ｃがカバー３８の開口部３８ａの反対側に位置するように配されている。当接板３９ａは、第一扉３１の外面に当接し、該外面及びカバー３８の間に位置する。当接板３９ｂは、第二扉３２の内面に当接し、該内面及びカバー３８の間に位置する。【選択図】図２
2016125738.tif 000002
【特許請求の範囲】
【請求項１】
加熱室と、該加熱室の第一扉と、該第一扉の外面に対向し、窓部が設けられた前記加熱室の第二扉と、前記第一扉及び第二扉の間に配された電装品及び該電装品に送風する送風機とを備える加熱調理器において、
前記送風機を覆うように配され、前記第一扉の外面及び前記第二扉の内面夫々に当接した熱伝導部を備えること
を特徴とする加熱調理器。
【請求項２】
前記熱伝導部は、屈曲した一枚の板を有し、
該板は、前記第一扉の外面及び前記第二扉の内面を弾圧していることを特徴とする請求項１に記載の加熱調理器。
【請求項３】
前記熱伝導部は、前記窓部の外周よりも外側に配されていることを特徴とする請求項１又は２に記載の加熱調理器。
【請求項４】
前記送風機及び熱伝導部の間に配され、前記送風機を覆うカバーを備え、
該カバーは前記熱伝導部と離隔していることを特徴とする請求項１から３までのいずれか一つに記載の加熱調理器。
【発明の詳細な説明】
【技術分野】
【０００１】
本発明は、被加熱物を加熱し、調理する加熱調理器に関する。
【背景技術】
【０００２】
近年、マグネトロンによる電磁波又は加熱水蒸気等を利用した加熱調理器が普及している。加熱調理器は、正面に開口が設けられた加熱室と、開口を開閉する加熱室の扉部とを備える。扉部は、加熱中におけるマイクロ波の漏出を防止する第一扉と、該第一扉の外面に対向する第二扉を有している場合がある。
【０００３】
第一扉の中央部には、電磁波の漏出を防止できる程度に小さい孔からなるメッシュ部が設けられ、第二扉の中央には、メッシュ部に対応する部分に、透明なガラスからなる窓部が設けられている。加熱調理器は、メッシュ部及び窓部を通して利用者が内部を視認できるように構成されている。
【０００４】
また、第一扉及び第二扉の間には、加熱の操作及び実行に係る電装品が配されている。ここで、加熱調理器の加熱調理時において発生する熱は、第一扉を介して電装品に伝導される。電装品は、前記熱により、不具合又は故障等が生じる場合がある。
【０００５】
したがって、加熱調理器には、電装品を冷却し、不具合又は故障等を防止するために、加熱調理器の外の空気を吸入し、電装品又は該電装品周辺に送風する送風機が設けられている場合がある（例えば、特許文献１参照）。
【先行技術文献】
【特許文献】
【０００６】
【特許文献１】特開２０１３−１６４２３７号公報
【発明の概要】
【発明が解決しようとする課題】
【０００７】
しかしながら、送風機による冷却においては、加熱調理室の外の空気の吸入により同時に送風機周辺が冷却される。したがって、送風機が窓部の周縁部分に位置している場合、窓部の送風機周辺部分が、その他の部分よりも温度が低くなり、温度差により曇るという問題が生じる。
【０００８】
本発明は、斯かる事情に鑑みてなされたものであり、その目的とするところは、窓部の曇りを抑制することができる加熱調理器を提供することにある。
【課題を解決するための手段】
【０００９】
本発明に係る加熱調理器は、加熱室と、該加熱室の第一扉と、該第一扉の外面に対向し、窓部が設けられた前記加熱室の第二扉と、前記第一扉及び第二扉の間に配された電装品及び該電装品に送風する送風機とを備える加熱調理器において、前記送風機を覆うように配され、前記第一扉の外面及び前記第二扉の内面夫々に当接した熱伝導部を備えることを特徴とする。
【００１０】
本発明に係る加熱調理器は、前記熱伝導部は、屈曲した一枚の板を有し、該板は、前記第一扉の外面及び前記第二扉の内面を弾圧していることを特徴とする。
【００１１】
本発明に係る加熱調理器は、前記熱伝導部は、前記窓部の外周よりも外側に配されていることを特徴とする。
【００１２】
本発明に係る加熱調理器は、前記送風機及び熱伝導部の間に配され、前記送風機を覆うカバーを備え、該カバーは前記熱伝導部と離隔していることを特徴とする。
【発明の効果】
【００１３】
本発明によれば、窓部の曇りを抑制することができる。
【図面の簡単な説明】
【００１４】
【図１】実施の形態１に係る加熱調理器の正面図である。
【図２】実施の形態１に係る加熱調理器の断面図である。
【図３】第一扉及び第二扉の外観斜視図である。
【図４】第二扉の内面を示す斜視図である。
【図５】図２のＶ−Ｖ線による断面図である。
【図６】扉部に取り付けられる前の熱伝導部の外観斜視図である。
【図７】実施の形態２に係る扉部に取り付けられる前の熱伝導部の外観斜視図である。
【図８】実施の形態３に係る第二扉の内面を示す斜視図である。
【図９】実施の形態３に係る熱伝導部及び取付箇所を説明する説明図である。
【図１０】実施の形態４に係る扉部の断面図である。
【図１１】実施の形態５に係る第二扉の内面を示す斜視図である。
【図１２】変形例１に係る第二扉の内面を示す斜視図である。
【図１３】変形例２に係る第二扉の内面を示す斜視図である。
【発明を実施するための形態】
【００１５】
以下、本発明に係る加熱調理器についてその実施の形態を示す図面に基づいて詳述する。
（実施の形態１）
図１は、実施の形態１に係る加熱調理器の正面図であり、図２は、同断面図である。図１及び２において、１は加熱調理器であり、加熱調理器１は、筐体２と該筐体２の正面に設けられた扉部３とを備える。
【００１６】
筐体２は、外筐２０及び内筐２１を有している。外筐２０及び内筐２１は、夫々正面が開口し、外筐２０の内面及び内筐２１の外面の間には、空間２ａが形成されている。また、内筐２１により、加熱室４が形成され、該加熱室４には、被加熱物が載置されるトレイ４ａ，４ｂ，４ｃが底面側から天面側にかけて配されている。
【００１７】
加熱室４の内奥面には、トレイ４ａ及び４ｂの間に孔２１ａが、トレイ４ｂ及び４ｃの間に孔２１ｂが、夫々設けられ、加熱室４の天面には、複数の孔２１ｃ，２１ｃ，２１ｃが設けられている。また、加熱室４は、内奥面及び天面を接続する接続面２１ｄを有し、該接続面２１ｄには、蒸気吸入孔２１ｅ及び蒸気供給孔２１ｆが設けられている。
【００１８】
空間２ａには、孔２１ａ，２１ｂ，２１ｃ，２１ｃ，２１ｃ，蒸気吸入孔２１ｅ及び蒸気供給孔２１ｆを連通する通路２２が設けられている。通路２２には、孔２１ａ及び２１ｂに対応する位置にヒータ２３が設けられ、孔２１ｃ，２１ｃ，２１ｃに対応する位置にヒータ２４が設けられている。更に、蒸気吸入孔２１ｅに対応する位置には、ファン２５が設けられている。
【００１９】
また、加熱調理器１には、扉部３に対して加熱調理器１の載置面側に着脱可能な給水タンク２６が設けられている。また、空間２ａにて、加熱室４の底面側及び内奥面側に、蒸気発生部２７と図示しないマグネトロン及び導波管とが設けられている。
【００２０】
蒸気発生部２７は、図示しない連結管により給水タンク２６に接続されている。また、蒸気発生部２７は、図示しない連結管により、蒸気供給孔２１ｆに対応する位置にて、通路２２に連結されている。
【００２１】
扉部３は、加熱調理器１の載置面側にて、図示しないヒンジ構造により回動可能に筐体２に接続されている。また、扉部３は第一扉３１及び第二扉３２を有する二重構造である。第一扉３１は、加熱室４側に配され、第二扉３２は、第一扉３１の外面に平行に対向している。図３は、第一扉３１及び第二扉３２の外観斜視図である。
【００２２】
第一扉３１は、矩形の金属板状をなし、中央にて、多数の孔からなるメッシュ部３３を有する。これによりマイクロ波の漏出を抑制し、かつ加熱室４内を視認可能にしている。また、第一扉３１の周縁部は、チョーク構造と呼ばれる構造をなしており、マイクロ波の外部への漏出を抑制している。
【００２３】
第二扉３２は、矩形の平板及び該平板の四辺から前記平板に対して垂直に立ち上がる側板を有する。第二扉３２の平板の中央には、加熱調理器１の正面視にて第一扉３１のメッシュ部３３に重なる位置に、透明な窓部３４が設けられている。メッシュ部３３及び窓部３４により、外部から加熱室４が視認できる。
【００２４】
また、第二扉３２の平板の外面には、窓部３４に対して加熱調理器１の載置面側と反対側に把手３５が設けられている。加熱調理器１は、使用者が把手３５を把持し、扉部３の押し引き動作を行うことにより、前記ヒンジ構造を介して加熱室４が開閉される。
【００２５】
更に、第二扉３２の平板の側端部にて、レシピの選択及び加熱の開始等の操作を受け付ける直方体状の操作部３６が設けられている。操作部３６は、第二扉３２に貫設されており、一面が、第二扉３２の平板の正面側に露出している。操作部３６の前記一面には、操作ボタン及び表示画面等が設けられている。
【００２６】
図４は、第二扉３２の内面を示す斜視図であり、図５は、図２のＶ−Ｖ線による断面図である。第二扉３２には、加熱調理器１の載置面側の側板に、開口３２ａが設けられている。また、第二扉３２には、窓部３４の外周よりも外側にて、開口３２ａ側に、送風機３７が設けられている。
【００２７】
また、第二扉３２には、送風機３７を覆うカバー３８が設けられている。カバー３８は、直方体状をなし、操作部３６に隣接し、窓部３４の外周よりも外側に位置している。カバー３８には、開口３２ａ側の一面に、該開口３２ａに連なる開口３８ａが設けられている。
【００２８】
また、操作部３６の内部には、操作部３６の操作の受付及び加熱の実行に係る電装品３６ａが配されている。操作部３６のカバー３８に隣接した一面には、開口３６ｂが設けられており、カバー３８の操作部３６に隣接した一面には、開口３６ｂに連なる開口３８ｂが設けられている。
【００２９】
第一扉３１及び第二扉３２の間には、熱伝導部３９が配されている。図６は、扉部３に取り付けられる前の熱伝導部３９の外観斜視図である。熱伝導部３９は、アルミ又は銅等の金属製であり、互いに対向し、矩形で同寸の当接板３９ａ及び３９ｂと、該当接板３９ａ及び３９ｂを接続する矩形の接続板３９ｃとを有する。当接板３９ａ及び３９ｂは夫々、接続板３９ｃの一面から垂直に突出している。当接板３９ａ及び３９ｂは、接続板３９ｃの対向二辺から夫々突出しており、熱伝導部３９の断面形状はコの字状をなす。
【００３０】
熱伝導部３９は、当接板３９ａ及び３９ｂの間にカバー３８が位置し、接続板３９ｃが、カバー３８の開口部３８ａの反対側に位置するように配されている。当接板３９ａは、第一扉３１の外面に当接し、該外面及びカバー３８の間に位置する。当接板３９ｂは、第二扉３２の内面に当接し、該内面及びカバー３８の間に位置する。
【００３１】
また、熱伝導部３９はカバー３８の外周面に当接している。更に、熱伝導部３９は窓部３４の外周よりも外側に位置している。
【００３２】
以下、加熱調理器１の動作について説明する。加熱調理器１は、利用者が被加熱物をトレイ４ａ，４ｂ又は４ｃに載置し、扉部３を閉め、操作部３６によりレシピを選択し調理の開始を指示することにより、被加熱物の調理を行う。上記の構成では、加熱調理器１は、前記マグネトロンを用いた調理と、水蒸気による蒸し調理と、加熱水蒸気による調理とが可能である。
【００３３】
マグネトロンによる調理は、前記マグネトロンが発したマイクロ波を前記導波管を介して、加熱室４内に送ることにより行う。第一扉３１のメッシュ部３３及びチョーク構造により、加熱室４内に送られたマイクロ波の外部へ漏出が抑制される。
【００３４】
蒸し調理の場合、給水タンク２６から蒸気発生部２７に給水され、蒸気発生部２７が水蒸気を発生させる。水蒸気は図示しない連結管を通って通路２２に供給され、水蒸気供給孔２１ｆから加熱室４内に供給される。供給された水蒸気により、被加熱物が蒸し調理される。
【００３５】
加熱水蒸気による調理は、前述のように通路２２に供給された水蒸気及び蒸気吸入孔２１ｅからファン２５により吸入された加熱室４内の水蒸気がヒータ２３及び２４に加熱され、孔２１ａ，２１ｂ，２１ｃ，２１ｃ，２１ｃから供給されることにより行われる。
【００３６】
上記のような加熱調理が行われた場合、第一扉３１を介して操作部３６及び電装品３６ａに熱が伝導されることとなる。したがって、加熱調理器１は、調理の実行に係る熱による電装品３６ａの不具合及び故障等を防止するために、送風機３７を作動させる。
【００３７】
送風機３７を作動させた場合、加熱調理器１の外の空気が開口３２ａ及び３８ａを通り、カバー３８内に吸入され、吸入された空気は開口３８ｂより排出される。開口３８ｂから排出された空気は、開口３６ｂを通り操作部３６内に供給される。供給された空気により電装品３６ａが冷却される。
【００３８】
カバー３８には加熱調理器１の外の空気が吸入されることから、同時にカバー３８の周辺が冷却される。したがって、何ら対策を行わなければ、窓部３４は、カバー３８周辺部分がその他の部分よりも温度が低くなり、温度差により曇ってしまう。
【００３９】
実施の形態１においては、熱伝導部３９の当接板３９ａが第一扉３１の外面に当接し、当接板３９ｂが第二扉３２の内面に当接しているので、加熱調理中に熱伝導部３９により第一扉３１の熱が第二扉３２に伝導する。
【００４０】
熱伝導部３９がカバー３８を覆うように配されているので、窓部３４におけるカバー３８周辺即ち送風機３７周辺が温められる。これにより、窓部３４において、送風機３７の作動に起因する温度差は小さくなり、曇りが抑制される。
【００４１】
また、熱伝導部３９は窓部３４の外周よりも外側に位置しているので加熱調理器１の正面視において、窓部３４から熱伝導部３９が視認できなくなり、デザイン性が高まる。
なお、熱伝導部３９は、一枚の板を屈曲成形してなる構成、複数の板を接合してなる構成又はその他の構成いずれでもよい。
【００４２】
また、電装品３６ａは、操作部３６内に配される構成に限られず、操作部３６の外面に露出する構成、又は操作部３６の外部に配される構成であってもよい。更に、電装品３６ａは操作部３６の操作の受付及び加熱の実行に係る構成に限られず、他の用途に用いる構成であってもよい。
【００４３】
（実施の形態２）
図７は、実施の形態２に係る扉部３に取り付けられる前の熱伝導部３９の外観斜視図である。実施の形態２に係る加熱調理器１の構成について、実施の形態１と同様な構成については、同一の符号を付してその詳細な説明を省略する。
【００４４】
実施の形態２に係る熱伝導部３９は、当接板３９ａ及び３９ｂが、互いに離隔する方向に、接続板３９ｃに対して傾斜している。一方で、第一扉３１及び第二扉３２の平板は互いに平行に対向している
【００４５】
したがって、熱伝導部３９は、当接板３９ａを第一扉３１の外面に当接させ、当接板３９ｂを第二扉３２の内面に当接させて取り付けた場合、第一扉３１及び第二扉３２に挟まれ、弾性復元力によって、第一扉３１の外面及び第二扉３２の内面を押圧し、弾圧する。
【００４６】
これにより、熱伝導部３９は、扉部３により強固に取り付けられ、第一扉３１及び第二扉３２への接触が確実となり、第一扉３１及び第二扉３２間にて熱伝導しやすくなる。なお、熱伝導部３９は、一枚の板を屈曲成形してなる構成、複数の板を接合してなる構成又はその他の構成いずれでもよい。
【００４７】
（実施の形態３）
図８は、実施の形態３に係る第二扉３２の内面を示す斜視図である。図９は、実施の形態３に係る熱伝導部３９及び取付箇所を説明する説明図である。実施の形態３に係る加熱調理器１の構成について、実施の形態１と同様な構成については、同一の符号を付してその詳細な説明を省略する。
【００４８】
実施の形態３に係る熱伝導部３９は、当接板３９ｂが接続板３９ｃの一辺全体から突出し、当接板３９ａが前記一辺に対向する他辺の一部から突出している。また、当接板３９ａは操作部３６側に位置する。
【００４９】
また、図９に示すように、熱伝導部３９は、当接板３９ａを第一扉３１のメッシュ部３３に当接させずに、メッシュ部３３以外の熱伝導効率のより良い部分に当接させて配されている。したがって、熱伝導部３９を形成する金属量を低減しつつ窓部３４の曇りを抑制できる。
【００５０】
（実施の形態４）
図１０は、実施の形態４に係る扉部３の断面図である。実施の形態４に係る加熱調理器１の構成について、実施の形態１と同様な構成については、同一の符号を付してその詳細な説明を省略する。
【００５１】
実施の形態４においては、カバー３８は、当接板３９ａ及び３９ｂの間に位置するが、当接板３９ａ及び３９ｂに当接しない。また、カバー３８は、接続板３９ｃに当接しない。即ち、カバー３８及び熱伝導部３９は離隔している。
【００５２】
これにより、熱伝導部３９に係る熱が、カバー３８に伝導しにくくなり、送風機３７からより温度の低い空気を送風することができる。したがって、窓部３４の曇りを抑制しつつ、電装品３６ａを効果的に冷却することができる。
【００５３】
（実施の形態５）
図１１は、実施の形態５に係る第二扉３２の内面を示す斜視図である。実施の形態５に係る加熱調理器１の構成について、実施の形態１と同様な構成については、同一の符号を付してその詳細な説明を省略する。
【００５４】
実施の形態５においては、熱伝導部３９は使用しない。カバー３８には操作部３６の反対側の一面に開口３８ｃが設けられている。カバー３８に吸入された空気は、開口３８ｂだけでなく、開口３８ｃからも排出される。
【００５５】
これによりカバー３８に吸入された空気が扉部３内に拡散するので、窓部３４におけるカバー３８の周辺部分及びその他の部分の温度差が小さくなり、窓部３４の曇りが抑制される。
【００５６】
（変形例１）
図１２は、変形例１に係る第二扉３２の内面を示す斜視図である。カバー３８の開口３８ｃに代えて、操作部３６の窓部３４側の一面にて開口３２ａの反対側端部に開口３６ｃを設けている。これにより、操作部３６の内部に送風された空気は、開口３６ｃから排出される。
【００５７】
したがって、実施の形態５と同様に、カバー３８に吸入された空気が扉部３内に拡散するので、窓部３４におけるカバー３８の周辺部分及びその他の部分の温度差が小さくなり、窓部３４の曇りが抑制される。
【００５８】
（変形例２）
図１３は、変形例２に係る第二扉３２の内面を示す斜視図である。変形例２においては操作部３６には、開口３２ａの反対側端部に、筒状のガイド３６ｄが突設されている。操作部３６の内部及びガイド３６ｄの内部は連なっている。ガイド３６ｄの突出端部は、第二扉３２における操作部３６の反対側に位置している。
【００５９】
これにより、操作部３６内に供給された空気が、ガイド３６ｄにより第二扉３２における操作部３６の反対側から排出されるので、実施の形態５及び変形例１と比較して扉部３内により拡散しやすくなる。したがって、窓部３４におけるカバー３８の周辺部分及びその他の部分の温度差がより小さくなり、窓部３４の曇りがより抑制される。
【００６０】
本発明に係る加熱調理器（１）は、加熱室（４）と、該加熱室（４）の第一扉（３１）と、該第一扉（３１）の外面に対向し、窓部（３４）が設けられた前記加熱室（４）の第二扉（３２）と、前記第一扉（３１）及び第二扉（３２）の間に配された電装品（３６ａ）及び該電装品（３６ａ）に送風する送風機（３７）とを備える加熱調理器（１）において、前記送風機（３７）を覆うように配され、前記第一扉（３１）の外面及び前記第二扉（３２）の内面夫々に当接した熱伝導部（３９）を備えることを特徴とする。
【００６１】
本発明によれば、熱伝導部（３９）が送風機（３７）を覆うように配されているので、第一扉（３１）から第二扉（３２）に伝導された熱により送風機（３７）の周辺が温められる。したがって、加熱調理器（１）による加熱調理中にて、送風機（３７）の作動に起因する窓部（３４）における送風機（３７）周辺とその他の部分との温度差が小さくなり、窓部（３４）が曇ることを防止できる。
【００６２】
本発明に係る加熱調理器（１）は、前記熱伝導部（３９）は、屈曲した一枚の板を有し、該板は、前記第一扉（３１）の外面及び前記第二扉（３２）の内面を弾圧していることを特徴とする。
【００６３】
本発明によれば、熱伝導部（３９）がより強固に第一扉（３１）及び第二扉（３２）に取り付けられる。また、熱伝導部３９の第一扉（３１）及び第二扉（３２）への接触が確実となり、第一扉（３１）及び第二扉（３２）間にて熱伝導しやすくなる。
【００６４】
本発明に係る加熱調理器（１）は、前記熱伝導部（３９）は、前記窓部（３４）の外周よりも外側に配されていることを特徴とする。
【００６５】
本発明によれば、加熱調理器（１）の正面視において、窓部（３４）から熱伝導部（３９）が視認できなくなり、デザイン性が高まる。
【００６６】
本発明に係る加熱調理器（１）は、前記送風機（３７）及び熱伝導部（３９）の間に配され、前記送風機（３７）を覆うカバー（３８）を備え、該カバー（３９）は前記熱伝導部（３９）と離隔していることを特徴とする。
【００６７】
本発明によれば、熱伝導部（３９）からの熱が送風機（３７）に伝導しにくくなり、送風機（３７）から、より温度の低い空気を送風することができる。したがって、窓部（３４）の曇りを抑制しつつ、電装品（３６ａ）を効果的に冷却することができる。
【００６８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００６９】
１  加熱調理器
３１  第一扉
３２  第二扉
３４  窓部
３６  操作部
３６ａ  電装品
３７  送風機
３８  カバー
３９  熱伝導部
４  加熱室
【図１】
2016125738.tif 000003
【図２】
2016125738.tif 000004
【図３】
2016125738.tif 000005
【図４】
2016125738.tif 000006
【図５】
2016125738.tif 000007
【図６】
2016125738.tif 000008
【図７】
2016125738.tif 000009
【図８】
2016125738.tif 000010
【図９】
2016125738.tif 000011
【図１０】
2016125738.tif 000012
【図１１】
2016125738.tif 000013
【図１２】
2016125738.tif 000014
【図１３】
2016125738.tif 000015